(57)【特許請求の範囲】
【請求項１】
テーブルの脚を個別に覆い隠す柔軟なカバー体と、
テーブルの天板の底面に固定され、前記カバー体を保持し且つ前記カバー体の上端部の位置決めをする保持部材と、を備えたことを特徴とするテーブル脚用カバー。
【請求項２】
前記カバー体は、上端部の幅が、下端部の幅より広く構成されたことを特徴とする請求項１記載のテーブル脚用カバー。
【請求項３】
前記下端部の幅は、テーブルの脚の径と、略同一に構成されることを特徴とする請求項２に記載のテーブル脚用カバー。
【請求項４】
前記カバー体の上端部は、開口しており、
前記保持部材は、前記上端部の前記開口に嵌合することで、前記カバー体を支持するものであることを特徴とする請求項１〜３のいずれか１項に記載のテーブル脚用カバー。
【請求項５】
前記カバー体は、
テーブルの脚に当接する脚覆部分と、それ以外の疑似脚部分と、からなり、
前記脚覆部分は、前記疑似脚部分よりも、テーブルの脚を包む中空部分を備える分、厚みがあることを特徴とする請求項１〜４のいずれか１項に記載のテーブル脚用カバー。
【請求項６】
前記脚覆部分は、前記カバー体の幅方向端部に形成されることを特徴とする請求項５記載のテーブル脚用カバー。
【請求項７】
前記カバー体は、前記疑似脚部分の長手方向全体に渡って、カバー体を開閉させる留め具を備えることを特徴とする請求項６記載のテーブル脚用カバー。
【請求項８】
天板と、前記天板の四隅に脚を備え、前記脚に個別に、請求項５〜７のいずれか１項に記載のテーブル脚用カバーを備えたテーブルであって、
前記保持部材は、前記脚から前記天板の隅方向へ前記疑似脚部分が向くように、前記天板の底面に固定されたことを特徴とするテーブル脚用カバーを備えたテーブル。
【発明の詳細な説明】
【技術分野】
【０００１】
本発明は、テーブルの脚に被せるだけで、テーブルの機能性やデザイン性を大きく変化させるテーブルの脚用カバー及びそれを備えたテーブルに関する。
【背景技術】
【０００２】
オフィスの会議室や応接室において用いられるミーティングテーブルやダイニングテーブルは、主として、天板の四隅に４本の脚を取り付けたシンプルな構造からなるものが多い。そのため、テーブルを構成する各構成要素の比重は高く、テーブルの脚の形状がテーブル全体のデザインや機能に与える影響は大きい。
【０００３】
このような理由から、例えば、会議室用のテーブルには丸パイプの脚を用い、応接室やロビーのテーブルには三角形状の脚が用いるなど、テーブルの脚の形状を種々変化させてデザイン性を高め、さまざまなシチュエーションに合わせるように工夫している。
【０００４】
また、ミーティングテーブルやダイニングテーブルは、同時に多くの人が使用するものである。そのため、着座領域を可能な限り増やす目的から、脚の機能性を重視し、デザイン的には非常にシンプルな角柱状や円筒状のパイプ部材を用いて構成することが多い。このようなパイプ部材の材料は、木材や、アルミニウム又はステンレス等の金属素材等からなり、塗装を施される場合もあれば、素材の色をそのままにして用いられることもある。
【０００５】
いずれの場合においても、テーブルの脚は、天板の下方に固定して設けられているものであるから、使用者がデザインの変更や、機能の変更を望む場合でも、容易に交換ができるようなものではない。
【０００６】
このような課題に対して、テーブルの脚の外周に装着する脚カバーが提案されている（特許文献１参照）。この脚カバーは、縦に２分割した半割り部材を互いにヒンジで開閉自在に結合した部材内部に、テーブルの脚を貫通状態に保持する中空部が形成され、閉じた状態の半割り部材を着脱自在に固定する係止部材が取り付けられてなるものである。この従来技術では、金属が露出した脚に対して、着脱容易なカバーという機能性を確保しつつ、外観上も金属性の脚を露出させず多少の高級感を持たせることで、デザイン性も高めようという試みがなされている。
【先行技術文献】
【特許文献】
【０００７】
【特許文献１】特開２００７−３２５８０９号公報
【発明の概要】
【発明が解決しようとする課題】
【０００８】
ところで、上記従来の技術は、折り畳み式のテーブルに用いることを想定し、着脱が容易に行えるという機能面を第一の考慮要素として提案されている。そのため、外観上は、角柱状の脚をそれよりも径の大きな円柱で覆ったに過ぎず、デザイン的な変化はわずかなものに留まっていた。
【０００９】
また、上記従来の脚カバーは、折り畳み式のテーブルにおいて、天板にクロスを掛けて用いることを前提としている。そのため、カバーの覆う範囲は脚の下半分に留まり、着脱性を第一に考えているため蝶番が外部に露出した構成となっている。しかし、主として家庭での使用が予定されるダイニングテーブルは、乳幼児をはじめとする子供や、年配者が接する機会もあり、テーブル脚の素材が剥き出しになっている部分があると、不意に接触や衝突などした場合に適当ではない。
【００１０】
本発明は、以上のような従来技術の課題を解決するために提案されたものであり、その目的は、テーブルの脚に被せるだけでテーブル全体のデザインに大きな変化をもたらしつつ、機能性も確保したテーブル脚用カバー及びそれを備えたテーブルを提供することにある。
【課題を解決するための手段】
【００１１】
上記目的を達成するため、請求項１の発明は、テーブルの脚を個別に覆い隠す柔軟なカバー体と、テーブルの天板の底面に固定され、前記カバー体を保持し且つ前記カバー体の上端部の位置決めをする保持部材と、を備えたことを特徴とする。
【００１２】
以上の態様では、柔らかい素材からなるカバー体により、テーブルの脚全体を覆い隠すことで、脚の素材が露出する部分をなくし、使用者の脚や身体の衝突をより考慮した脚用カバーを提供することができる。また、カバー体の保持部材をテーブルの天板の底面に設けることで、カバー体自体に必要以上の細工を施す必要がない。そのため、カバー体から、蝶番などの部材が露出することなく、デザイン的に優れたものになるとともに、使用者の脚や身体の衝突に対する配慮もされ機能的にも優れている。
【００１３】
請求項２の発明は、請求項１記載の発明において、前記カバー体は、上端部の幅が、下端部の幅より広く構成されたことを特徴とする。
【００１４】
以上の態様では、カバー体の上端部は幅広に、下端部の幅はこれよりも狭く構成することで、使用者がテーブルの天板下部において足下をすっきりさせつつ、テーブルの天板と接する上端部においては、奥行き感や重厚感あるカバー体とすることができる。すなわち、このようなデザインの変化に富んだカバー体を、テーブルの脚に装着することで、足下をすっきりさせる機能的効果を発揮させるとともに、テーブル全体のデザインを大きく変化させるデザイン的効果を発揮させることができる。
【００１５】
請求項３の発明は、請求項２に記載の発明において、前記下端部の幅は、テーブルの脚の径と、略同一に構成されることを特徴とする。
【００１６】
以上の態様では、請求項２の態様の効果に加え、カバー体の上端部は幅広に、下端部の幅はこれよりも狭く、テーブルの脚の径と同等程度にすることで、足下をよりすっきりさせた印象を与えるとともに、カバー体が使用者の足下で邪魔にならず、デザイン的にも機能的にもより洗練されたものとなる。
【００１７】
請求項４の発明は、請求項１〜３のいずれか１項に記載の発明において、前記カバー体の上端部は開口しており、前記保持部材は、前記上端部の前記開口に嵌合することで、前記カバー体を支持するものであることを特徴とする。
【００１８】
以上の態様では、テーブルの天板に取り付けた保持部材を、カバー体の開口に嵌合させるという簡単な構成で、カバー体を保持し及び位置決めを行うことができる。また、テーブルの脚は、使用者の脚が触れる箇所であり、この箇所に、何らかの部材を設けることは使用上不便を伴うが、これに対してテーブルの天板の裏面はテーブルの構成要素のうちで最も邪魔にならない箇所である。したがって、この位置に保持部材を設ける機能上のメリットは非常に高い。
【００１９】
請求項５の発明は、請求項１〜４のいずれか１項において、前記カバー体は、テーブルの脚に当接する脚覆部分と、それ以外の疑似脚部分と、からなり、前記脚覆部分は、前記疑似脚部分よりも、テーブルの脚を包む中空部分を備える分、厚みがあることを特徴とする。
【００２０】
以上の態様では、カバー体がテーブルの脚を覆う脚覆部分は、内側に脚を含むため、全体としての厚みが出るのはやむを得ないが、その他の部分を、これよりも薄く構成することで、全体として、薄型のカバー体を形成することが可能である。
【００２１】
請求項６の発明は、請求項５記載の発明において、前記脚覆部分は、前記カバー体の幅広方向の端部に形成されることを特徴とする。
【００２２】
以上の態様では、脚を直接的に覆うために、他の部分に比較して厚みの出る脚覆部分を、カバー体の幅広方向の端に設けることで、この脚覆部分から他の部分を形成する疑似脚部分に向かって、カバー体全体の厚みを一方向に向かって除々薄くなる構成とすることができる。そのため、すっきりしたデザイン構成となるとともに、カバー体をテーブルの角方向に向かって、厚みの薄い疑似脚部分を向けて配置することで、使用者が天板下部に脚を入れる側の厚みを薄くできるので、使用者の邪魔にならず機能上の効果が高い。
【００２３】
請求項７の発明は、請求項６記載の発明において、前記カバー体は、前記疑似脚部分の長手方向全体に渡って、カバー体を開閉させる留め具を備えることを特徴とする。
【００２４】
以上の態様では、カバー体の薄い部分である疑似脚部分に、カバー体を開閉させる例えばファスナー等の留め具を設ける。これにより、脚全体を覆い隠すカバー体の構成であっても、カバー体をテーブルの脚に対して横方向から着脱が可能となり、着脱容易な構成となる。なお、ファスナーは、樹脂製のものを用いたり、疑似脚部分の端部でファスナーの左右部分をカバーして内側に隠すことにより、使用者がテーブルの脚に衝突することに対する配慮も可能である。
【００２５】
請求項８の発明は、天板と、前記天板の四隅にそれぞれ脚を備え、前記脚に個別に、請求項５〜７のいずれか１項に記載のテーブル脚用カバーを備えたテーブルであって、前記保持部材は、前記脚から前記天板の隅方向へ前記疑似脚部分が向くように、前記天板の底面に固定されたことを特徴とする。
【００２６】
以上の態様では、請求項５〜７のテーブル脚用カバーを、テーブルの脚から天板の隅方向へ疑似脚部分が向くように配置することで、幅広のテーブル脚用カバーの広い幅を構成する面の方向が、テーブルの中心方向に向かって配置されることとなる。また、テーブル脚用カバーの薄い部分は、天板の角方向に向かい、テーブルの脚を覆った脚覆部分は、内側に配置される。そのため、使用者がテーブル下部において脚を挿入する領域は広く確保される。また、テーブルの脚に脚用カバーを装着するだけで、テーブルの脚を奥行き感ある重厚なものに見せることができ、テーブルのデザインを大きく変化させることができる。
【発明の効果】
【００２７】
以上の本発明によれば、テーブルの脚に被せるだけでテーブル全体のデザインに大きな変化をもたらしつつ、機能性も確保したテーブル脚用カバー及びそれを備えたテーブルを提供することができる。
【図面の簡単な説明】
【００２８】
【図１】本発明の実施の形態に係るテーブル脚用カバーの構成を示す側面図（ａ）及び平面図（ｂ）。
【図２】本発明の実施の形態に係るテーブル脚用カバーのカバー体の構成を示す展開図（ａ）、斜視図（ｂ）及び（ｃ）。
【図３】本発明の実施の形態に係るテーブル脚用カバーの保持部材の構成を示す底面図（ａ）及び側面図（ｂ）。
【図４】本発明の実施の形態に係るテーブル脚用カバーの保持部材の他の構成を示す底面図。
【図５】本発明の実施の形態に係るテーブル脚用カバーのテーブルへの装着手順を示すイメージ図。
【図６】本発明の実施の形態に係るテーブル脚用カバーを着用したテーブルの着用前後の構成を示すイメージ図。
【図７】本発明の他の実施の形態に係るテーブル脚用カバーを着用したテーブルの構成を示すイメージ図。
【発明を実施するための形態】
【００２９】
以下、本発明の実施の形態（以下、本実施形態という。）について、図面を参照しながら説明する。なお、従来と同様の構成については、適宜説明を省略する場合がある。
【００３０】
［１．本実施形態］
［１−１．構成］
（１）全体構成
本実施形態のテーブル脚用カバー（以下、単に「脚用カバー」という）１は、図１（ａ）に示すように、テーブルＴの脚Ｆを個別に覆い隠す柔軟なカバー体２と、テーブルＴの天板Ｂの底面に固定され、カバー体２を保持し且つカバー体２の上端部Ｕの位置決めをする保持部材３と、から構成される。
【００３１】
（２）カバー体の構成
カバー体２は、例えば、フェルト等の軟質の材料から形成され、全体形状が、上端部Ｕが幅広で、下端部Ｌが幅狭の逆台形状からなる。カバー体２は、図２（ａ）に示すように、１枚の台形状のシートを、２つ折りにして、テーブルＴの脚Ｆに巻き付けて用いるものである。したがって、カバー体２の上下端部には、それぞれ開口した上部開口Ｏ１と、下部開口Ｏ２とが設けられ、テーブルＴの脚Ｆが挿入できるように構成される。また、２つ折りの端部に当たる斜辺部分は、図２（ｂ）に示すように、縫製、接着又は熱圧着等によりシール部Ｓとして留め、カバー体２全体を筒状体としても良いし、同図（ｃ）に示すように、この斜辺部分にファスナーなどの留め具Ｃを設け、斜辺部分において開閉自在に構成してもよい。なお、ファスナーなどの留め具Ｃは、樹脂製の柔軟な素材により構成するか、疑似脚部分の端部でファスナーの左右部分をカバーして内側に隠すか（図２（ｃ）に図示するパターン）により、衝突への配慮も可能である。
【００３２】
カバー体２は、テーブルの脚Ｆを直接的に被覆する脚覆部分２１と、脚Ｆには当接しない疑似脚部分２２とを有する。この脚覆部分２１は、図１（ａ）に示すように、脚Ｆを被覆した状態では長方形状に区画され、疑似脚部分２２は略直角三角形状に区画される。なお、疑似脚部分との用語は、本願における造語であって、カバー体２をテーブルＴの脚Ｆに取り付けた場合に、脚Ｆの支持機能は果たさないが、テーブルの脚のような外見を呈することからそのように呼ぶものである。
【００３３】
カバー体２の下端部Ｌの幅は、図１（ａ）又は図２（ａ）に示すように、テーブルの脚Ｆの径とほぼ同等であり、これに対して、上端部Ｕの幅は、下端部Ｌの幅に対して、３倍程度の幅を有する。
【００３４】
次に、図１（ｂ）の平面図を参考に、カバー体２の平面形状について説明する。カバー体２は、同図（ｂ）に示すように、脚覆部分２１が、テーブルの脚Ｆの外周を１８０°から２００°程度被覆し、この脚覆部分２１が、カバー体２の平面奥行き方向に向かって最大の径となるように構成される。一方、疑似脚部分２２は、脚覆部分２１との境界部分から、端部のシール部Ｓ方向に向かって、徐々に奥行き方向の長さが縮まり、疑似脚部２２の端部での厚みは、カバー体２を構成するシートの２枚分の生地を貼り合わせた程度の厚みになる。すなわち、カバー体２は、その平面ないし断面形状が、略楔形状又はＶ字形状で、楔形状又はＶ字形状の開口端に脚覆部分２２を有するように形成されている。
【００３５】
参考までに、最良の実施形態として想定するカバー体２の寸法を説明すると、カバー体２の長手方向である、上端部Ｕから下端部Ｌまでの距離は、テーブルＴの高さに依拠するものの、テーブルＴの天板Ｂの底面までの高さが、規格等にもより、おおよそ７００ｍｍ程度であるとすると、それより１０ｍｍ程度低い６９０ｍｍ程度で形成される。また、上端部Ｕの横方向の長さは２００ｍｍ程度である。また、下端部Ｌの横方向の長さは、５０〜６０ｍｍである。
【００３６】
（３）保持部材の構成
保持部材３は、上述の通り、テーブルＴの天板Ｂの底面に取り付けられ、カバー体２を保持し且つカバー体２の上端部Ｕを位置決めするものである。
保持部材３は、図３の底面図（ａ）及び側面図（ｂ）に示すように、テーブルＴの天板Ｂに取り付けられる台座３１と、この台座３１に取り付けられたレール３２とから構成される。
【００３７】
台座３１は、天板Ｂの底面に取り付けられる機能以外の構成は任意である。すなわち、専ら、テーブルＴの脚Ｆと、後述するレール３２の形状に基づいて形成されるものである。本実施形態では、図３（ａ）に示すように、二等辺三角形の各頂点をＲ状に形成した全体形状を有し、適当な間隔（ここでは５カ所）で天板Ｂにビス止めされるようになっている。
【００３８】
なお、本実施形態においては、台座３１及びレール３２の天板Ｂ底面における位置決め精度を上げるため、台座３１に、テーブルＴの脚Ｆを貫通させる貫通孔３３を設けている。すなわち、保持部材３を、天板Ｂに取り付けるに当たり、脚Ｆをまず貫通孔３３に通過させ、又は一端脚Ｆを天板Ｂから外し台座３１を天板Ｂの底面に取り付けた上で、脚Ｆを貫通孔３３に通過させることで、台座３１の取り付け位置の精度を高めることができる。ただし、このように脚Ｆを貫通孔３３に通過させ、または脚Ｆの取り外しを行う必要があると、設置の際に手間となる場合もある。そのため、図４に示すようにこの貫通孔３３は設けず脚Ｆに当接する円弧状のガイド３４を設けて、台座３１の取り付け位置の誘導部として用いることも可能である。
【００３９】
レール３２は、カバー体２の上端部Ｕ（図１（ａ）参照）に形成される上部開口Ｏ１の内周面の形状に合わせて、方形状の２枚の板状体からなるレール３２ａ及び３２ｂを楔状に配置し、この２枚のレール３２ａ，３２ｂを、台座３１に対して垂直方向に取り付けてなる。このレール３２の楔又はＶ字の２辺の拡がった側の端部は、テーブルＴの脚Ｆの外周面の形状に合わせ、その拡がり具合を調整する。
【００４０】
参考に、最良の実施形態として想定する保持部材３の寸法を説明すると、台座３１の長辺方向の幅は、２５０ｍｍ程度、奥行きが９０ｍｍ程度である。また、レール３２の長辺方向の幅は、１６０ｍｍ程度、レール３２ａとレール３２ｂとの楔形の開口端部が３０ｍｍ程度で形成される。
【００４１】
（４）テーブルへの取り付け構成
本実施形態のテーブル脚用カバー１は、テーブルＴへの取り付け構成にも特徴を有する。図１（ｂ）又は図３（ａ）及び（ｂ）に示すように、本実施形態のテーブル脚用カバー１は、テーブルＴに取り付けられた既存の脚Ｆの位置と、天板Ｂの角との位置関係により、その配置が決定する。すなわち、脚Ｆの中心と、角Ｒ１の頂点を結んだラインＬ１に、台座３１の中心軸並びにレール３２ａ及び３２ｂの成す角の中心が位置するように、取り付けられる。
テーブルＴの他の３つの角についても同様に取り付け作業を行い、テーブル脚用カバー１が全体として脚Ｆ側から天板Ｂの角に向かって配置されるように構成する。
【００４２】
［１−２．作用効果］
以上のような本実施形態の構成に基づいて、テーブル脚用カバー１の作用について説明する。
【００４３】
（１）保持部材の取り付け
本実施形態のテーブル脚用カバー１では、テーブルＴの天板Ｂ底面に、カバー体２を保持しつつ、上端部Ｕの位置決めを行う保持部材３を取り付ける。この保持部材３は、台座３１とレール３２とが予め結合して構成されており、これらを一括して天板Ｂに取り付ける。
【００４４】
図３（ａ）に示すように、台座３１の天板Ｂ上における位置決め精度を上げるため、台座３１にテーブルＴの脚Ｆを貫通させる貫通孔３３を設けている。そのため、この際の取り付け手順は、脚Ｆをまず貫通孔３３を通過させ、又は脚Ｆを天板Ｂから外し台座３１を天板Ｂの底面に取り付けた上で、脚Ｆを貫通孔３３に通過させて取り付ける。
【００４５】
テーブル脚用カバー１のテーブルＴへの取り付けに当たっては、図３（ａ）に示すように、脚Ｆの中心と、角Ｒ１の頂点を結んだラインＬ１に、台座３１の中心軸並びにレール３２ａ及び３２ｂの成す角の中心が位置するように、取り付ける。
【００４６】
（２）カバー体の取り付け
保持部材３が天板Ｂに固定された段階で、カバー体２の取り付け作業に入る。
カバー体２は、１枚の台形状のシートを２つ折りにしてなるものであり、シール部Ｓを設け筒状体となっているか、又は留め具Ｃを設け斜辺部分を開閉自在にしたものである。
【００４７】
カバー体２が筒状体で形成される場合には、図５（ａ）に示すように、テーブルＴの脚Ｆの下端に設けられたアタッチメントＡを外し、脚ＦのポールＰ下端より、カバー体２を上部開口Ｏ１より取り付ける。このとき、脚覆部分２１に沿って、ポールＰをカバー体２内に挿入していく。
【００４８】
カバー体２を上部開口Ｏ１からポールＰに被せ、カバー体２の上端部Ｕが、保持部材３のレール３２に当接する程度まで上がったところで、カバー体２の疑似脚部分２２の上部開口Ｏ１からレール３２ａ及び３２ｂに被せるようにする。これにより、カバー体２の上端部Ｕが、レール３２に嵌合され、カバー体２の位置決めがなされる。
【００４９】
最後に、外しておいたポールＰ下端のアタッチメントを取り付け、カバー体２の取り付け作業及びテーブル脚用カバー１の取り付け作業が完了する。
【００５０】
一方、カバー体２が、斜辺部分に留め具Ｃを設けて開閉自在にした構成よりなるものである場合には、図５（ｂ）に示すように、留め具Ｃを開け、横方向から脚ＦのポールＰにカバー体２を被せることにより、カバー体２の取り付けが可能である。
【００５１】
この場合も、上記同様、カバー体２の上端部Ｕが、保持部材３のレール３２に当接するところで、カバー体２の疑似脚部分２２を、レール３２ａ及び３２ｂに被せ、上部開口Ｏ１がレール３２と嵌合するようにする。これにより、カバー体２の位置決めがなされる。
【００５２】
以上のようなカバー体２の取り付け作業により、図６（ｂ）に示すテーブルＴが、図６（ａ）に示すようなデザインの大きな変更を成し遂げる。
【００５３】
（３）効果
以上のような本実施形態のテーブル脚用カバー１によれば、柔らかい素材からなるカバー体２により、テーブルＴの脚Ｆ全体を覆い隠すことで、脚Ｆの素材が露出する部分をなくし、使用者の脚や身体の衝突をより考慮した脚用カバーを提供することができる。また、カバー体２の保持部材３をテーブルＴの天板Ｂの底面に設けることで、カバー体２自体に必要以上の細工を施す必要がない。そのため、カバー体２から、蝶番などの部材が露出することなく、デザイン的に優れたものとなるとともに、使用者の脚や身体の衝突に対する配慮もされ機能的にも優れている。
【００５４】
また、カバー体２の上端部Ｕは幅広に、下端部Ｌの幅はこれよりも狭く構成することで、使用者がテーブルＴの天板Ｂ下部に脚入れをする足下をすっきりさせつつ、テーブルＴの天板Ｂと接する上端部Ｕにおいては、奥行き感や重厚感あるカバー体２を構成することができる。すなわち、このようなデザインの変化に富んだカバー体２を、テーブルＴの脚Ｆに装着することで、足下をすっきりさせる機能的効果を発揮させるとともに、テーブルＴ全体のデザインを大きく変化させるデザイン的効果を発揮させることができる。
【００５５】
本実施形態の保持部材３では、テーブルＴの天板Ｂに取り付けた保持部材３を、カバー体２の上部開口Ｏ１に嵌合させるという簡単な構成で、カバー体２の保持し及び位置決めを行うことができる。また、テーブルＴの脚Ｆは、使用者の脚が触れる箇所であり、この箇所に、何らかの部材を設けることは使用上不便を伴うが、これに対してテーブルＴの天板の裏面はテーブルＴの構成要素のうちで最も邪魔にならない箇所である。したがって、この位置に保持部材を設けることで機能上メリットが非常に高い。
【００５６】
カバー体２のテーブルＴの脚Ｆを覆う脚覆部分２１は、内側に脚を含むため、全体としての厚みが出るのはやむを得ないが、その他の部分である疑似脚部分２２を、脚覆部分２１よりも薄く構成することで、全体として、薄型のカバー体２を形成することが可能である。
【００５７】
また、脚覆部分２１を、カバー体２の幅広方向の端に設け、この脚覆部分２１から他の部分を形成する疑似脚部分２２に向かって、カバー体２全体の厚みを一方向に向かって除々薄くなる構成とすることができる。そのため、すっきりしたデザイン構成となるとともに、例えば、カバー体２をテーブルＴの角方向に向かって、厚みの薄い疑似脚部分２２を向けて配置することで、使用者が天板Ｂ下部において脚を入れる側の厚みを薄くできるので、カバー体２が使用者の邪魔にならず機能上の効果が高い。
【００５８】
カバー体２の薄い部分である疑似脚部分２２に、カバー体２を開閉させる例えばファスナー等の留め具Ｃを設ける。これにより、脚Ｆ全体を覆い隠すカバー体２の構成であっても、カバー体２をテーブルＴの脚Ｆに対して横方向から着脱が可能となり、着脱容易な構成となる。なお、ファスナーなどは、樹脂製の柔軟な素材により構成するか、疑似脚部分２２の端部でファスナーの左右部分をカバーして内側に隠すことにより、使用者がテーブルＴの脚Ｆに衝突することに対する配慮もできる。
【００５９】
本実施形態のテーブル脚用カバー１を備えたテーブルＴでは、脚Ｆから天板Ｂの隅方向へ疑似脚部分２２が向くように配置することで、幅広のテーブル脚用カバー１の広い幅を構成する面の方向が、テーブルＴの中心方向に向かって斜めに配置されることとなる。また、テーブル脚用カバー１の薄い部分は、天板Ｂの角方向に向かい、テーブルＴの脚Ｆを覆った脚覆部分２１は、内側に配置される。そのため、使用者が脚Ｆを挿入する領域は広く確保することができるとともに、テーブルＴの脚Ｆに脚用カバーを装着するだけで、テーブルＴの脚Ｆが奥行き感ある重厚なものとなり、テーブルＴのデザインを大きく変化させることができるようになる。
【００６０】
［２．他の実施形態］
本発明は上記実施形態において示した態様に限定されるものではなく、例えば、以下のような実施形態も包含するものである。
本実施形態では、テーブル脚用カバー１を用いるテーブルＴを、脚Ｆが垂直方向に配置された例を示したが、本実施形態のテーブル脚用カバー１０は、図７に示すように、脚Ｆが斜めに配されたテーブルＴ１においても、採用可能である。このカバー体１１は、本実施形態のカバー体２とは異なり、斜辺側に脚覆部分１２が配置され、垂直辺側に疑似脚部分１３が配置されることとなるが、カバー体１２の断面形状は、脚覆部分１２が厚く、疑似脚部分１３が薄い形状となるので、使用者が脚入れを行う側のカバー体１２は全体として厚みが薄いものが配置されることとなる。
【００６１】
そのため、本実施形態のテーブル脚用カバー１と同じように、デザイン上は大きな変化を与え、また機能面も変更ない。なお、保持部材の構成については、本実施形態における場合と同様である。
【００６２】
本実施形態では、カバー体２に用いる素材として、フェルトを挙げた。フェルトは、ある程度の柔らかさと、ある程度の形状を維持する性質を持ちつつ、様々な色彩のものが作製可能であるので、本発明において、最適な構成要素となり得る。しかしながら、本発明において、カバー体２に用いる素材は、フェルトに限られず、例えば、合成樹脂等、ある程度の柔らかさと、ある程度の形状を維持する性質を有する素材であれば、あらゆる素材によって構成することが可能である。
【符号の説明】
【００６３】
１，１０…テーブル脚用カバー
２，１１…カバー体
２１，１２…脚覆部分
２２，１３…疑似脚部分
３…保持部材
３１…台座
３２，３２ａ，３２ｂ…レール
３３…貫通孔
３４…ガイド
Ａ…アタッチメント
Ｂ…天板
Ｃ…留め具
Ｆ…脚
Ｌ…下端部
Ｌ１…ライン
Ｏ１…上部開口
Ｏ２…下部開口
Ｐ…ポール
Ｒ１…角
Ｓ…シール部
Ｔ，Ｔ１…テーブル
Ｕ…上端部
【図１】
0005635874.tif 000002
【図２】
0005635874.tif 000003
【図３】
0005635874.tif 000004
【図４】
0005635874.tif 000005
【図５】
0005635874.tif 000006
【図６】
0005635874.tif 000007
【図７】
0005635874.tif 000008